【手続補正書】
【提出日】平成29年4月12日(2017.4.12)
【手続補正１】
【補正対象書類名】明細書
【補正対象項目名】００１０
【補正方法】変更
【補正の内容】
【００１０】
本発明は、このような現状を鑑み案出されたものであり、ユーザが商品等の需要に与えるイベントの影響を容易に把握できる仕組みを提供するものである。
【手続補正２】
【補正対象書類名】明細書
【補正対象項目名】００１１
【補正方法】変更
【補正の内容】
【００１１】
上記課題を解決するための第１の発明は、製品の需要量に影響を与えるイベントを把握するための情報処理装置であって、データソースから前記製品のイベントに関するイベント情報を抽出するイベント情報抽出手段と、前記製品の販売実績に関する情報を示す販売実績情報を取得する取得手段と、所定の条件を用いて前記製品の需要量の予測を行う予測手段と、前記取得手段で取得された販売実績情報と前記予測手段で予測された需要量とに基づいて、前記製品の需要に与える前記イベント情報抽出手段によって抽出されるイベントを特定する特定手段と、を備えたことを特徴とする。
【手続補正３】
【補正対象書類名】明細書
【補正対象項目名】００１２
【補正方法】変更
【補正の内容】
【００１２】
上記課題を解決するための第２の発明は、クライアント端末と情報処理装置とがネットワークを介して接続された情報処理システムであって、前記クライアント端末は、イベントの候補を要求する要求手段と、前記情報処理装置の送信手段によって送信されたイベントを受信する受信手段と、前記受信手段によって受信したイベントを表示する表示手段と、を備え、前記情報処理装置は、データソースから製品のイベントに関するイベント情報を抽出するイベント情報抽出手段と、前記製品の販売実績に関する情報を示す販売実績情報を取得する取得手段と、所定の条件を用いて前記製品の需要量の予測を行う予測手段と、前記取得手段で取得された販売実績情報と前記予測手段で予測された需要量とに基づいて、前記製品の需要に与える前記イベント情報抽出手段によって抽出されるイベントを特定する特定手段と、前記要求手段によってイベントの候補が要求されると、前記特定手段によって特定したイベントを前記クライアント端末へ送信する送信手段と、を備えたことを特徴とする。
【手続補正４】
【補正対象書類名】明細書
【補正対象項目名】００１３
【補正方法】変更
【補正の内容】
【００１３】
上記課題を解決するための第３の発明は、製品の需要量に影響を与えるイベントを把握するための情報処理装置の制御方法であって、前記情報処理装置は、データソースから前記製品のイベントに関するイベント情報を抽出するイベント情報抽出ステップと、前記製品の販売実績に関する情報を示す販売実績情報を取得する取得ステップと、所定の条件を用いて前記製品の需要量の予測を行う予測ステップと、前記取得ステップで取得された販売実績情報と前記予測ステップで予測された需要量とに基づいて、前記製品の需要に与える前記イベント情報抽出ステップによって抽出されるイベントを特定する特定ステップと、を実行することを特徴とする。
【手続補正５】
【補正対象書類名】明細書
【補正対象項目名】００１４
【補正方法】変更
【補正の内容】
【００１４】
上記課題を解決するための第４の発明は、製品の需要量に影響を与えるイベントを把握するための情報処理装置で読取実行可能なプログラムあって、前記情報処理装置を、データソースから前記製品のイベントに関するイベント情報を抽出するイベント情報抽出手段と、前記製品の販売実績に関する情報を示す販売実績情報を取得する取得手段と、所定の条件を用いて前記製品の需要量の予測を行う予測手段と、前記取得手段で取得された販売実績情報と前記予測手段で予測された需要量とに基づいて、前記製品の需要に与える前記イベント情報抽出手段によって抽出されるイベントを特定する特定手段と、して機能させるためのプログラム。
【手続補正６】
【補正対象書類名】明細書
【補正対象項目名】００１５
【補正方法】変更
【補正の内容】
【００１５】
上記課題を解決するための第５の発明は、クライアント端末と情報処理装置とがネットワークを介して接続された情報処理システムの制御方法であって、前記クライアント端末は、イベントの候補を要求する要求ステップと、前記情報処理装置の送信ステップによって送信されたイベントを受信する受信ステップと、前記受信ステップによって受信したイベントを表示する表示ステップと、を実行し、前記情報処理装置は、データソースから製品のイベントに関するイベント情報を抽出するイベント情報抽出ステップと、前記製品の販売実績に関する情報を示す販売実績情報を取得する取得ステップと、所定の条件を用いて前記製品の需要量の予測を行う予測ステップと、前記取得ステップで取得された販売実績情報と前記予測ステップで予測された需要量とに基づいて、前記製品の需要に与える前記イベント情報抽出ステップによって抽出されるイベントを特定する特定ステップと、
前記要求ステップによってイベントの候補が要求されると、前記特定ステップによって特定したイベントを前記クライアント端末へ送信する送信ステップと、を実行することを特徴とする。
【手続補正７】
【補正対象書類名】明細書
【補正対象項目名】００１６
【補正方法】変更
【補正の内容】
【００１６】
上記課題を解決するための第６の発明は、クライアント端末と情報処理装置とがネットワークを介して接続された情報処理システムにおいて、前記クライアント端末を、イベントの候補を要求する要求手段と、前記情報処理装置の送信手段によって送信されたイベントを受信する受信手段と、前記受信手段によって受信したイベントを表示する表示手段と、して機能させ、前記情報処理装置を、データソースから製品のイベントに関するイベント情報を抽出するイベント情報抽出手段と、前記製品の販売実績に関する情報を示す販売実績情報を取得する取得手段と、所定の条件を用いて前記製品の需要量の予測を行う予測手段と、前記取得手段で取得された販売実績情報と当該予測手段で予測された需要量とに基づいて、前記製品の需要に与える前記イベント情報抽出手段によって抽出されるイベントを特定する特定手段と、前記要求手段によってイベントの候補が要求されると、前記特定手段によって特定したイベントを前記クライアント端末へ送信する送信手段と、して機能させるためのプログラム。
【手続補正８】
【補正対象書類名】明細書
【補正対象項目名】００１７
【補正方法】変更
【補正の内容】
【００１７】
本発明によれば、ユーザが商品等の需要に与えるイベントの影響を容易に把握できる、という効果を奏する。
【手続補正９】
【補正対象書類名】特許請求の範囲
【補正対象項目名】全文
【補正方法】変更
【補正の内容】
【特許請求の範囲】
【請求項１】
製品の需要量に影響を与えるイベントを把握するための情報処理装置であって、
データソースから前記製品のイベントに関するイベント情報を抽出するイベント情報抽出手段と、
前記製品の販売実績に関する情報を示す販売実績情報を取得する取得手段と、
所定の条件を用いて前記製品の需要量の予測を行う予測手段と、
前記取得手段で取得された販売実績情報と前記予測手段で予測された需要量とに基づいて、前記製品の需要に与える前記イベント情報抽出手段によって抽出されるイベントを特定する特定手段と、
を備えたことを特徴とする情報処理装置。
【請求項２】
前記特定手段は、前記予測手段による予測期間におけるイベントを特定することを特徴とする請求項１に記載の情報処理装置。
【請求項３】
前記特定手段は、前記販売実績と前記予測される需要量とに基づいて求まる、イベントによって製品の需要に与える影響量を示すイベント影響量に対応する、前記製品の需要に与えるイベントを特定することを特徴とする請求項１または２に記載の情報処理装置。
【請求項４】
前記特定手段によって特定される既知のイベントのイベント影響量から未知のイベントのイベント影響量を算出する未知イベント影響量算出手段を備え、
前記特定手段は、前記未知イベント影響量算出手段によって算出した未知のイベントのイベント影響量に対応する前記イベント情報抽出手段によって抽出したイベントを特定することを特徴とする請求項３に記載の情報処理装置。
【請求項５】
前記未知イベント影響量算出手段によって算出した未知のイベントのイベント影響量と既知のイベントのイベント影響量とを識別して表示する表示手段を備えたことを特徴とする請求項４に記載の情報処理装置。
【請求項６】
前記表示手段は、正及び負のイベント影響量を識別して表示することを特徴とする請求項５に記載の情報処理装置。
【請求項７】
前記特定手段は、前記未知のイベントに係る製品の特性を用いて前記イベント情報抽出手段によって抽出したイベントを特定し、
前記表示手段は、前記特定手段によって特定されたイベントを表示することを特徴とする請求項５または６に記載の情報処理装置。
【請求項８】
前記特定手段は、前記未知のイベントに係る製品の販売期間が含まれる期間におけるイベントを特定し、
前記表示手段は、前記特定手段によって特定したイベントを優先して表示することを特徴とする請求項５乃至７の何れか１項に記載の情報処理装置。
【請求項９】
前記特定手段は、前記未知のイベントに係る製品の販売期間が含まれる期間におけるイベントであって、前記製品と同じ製品に関するイベントを特定することを特徴とする請求項７または８に記載の情報処理装置。
【請求項１０】
前記特定手段は、前記未知のイベントに係る製品の販売期間が含まれる期間におけるイベントであって、前記製品と異なる製品に関するものであり、さらに負となるイベント影響量を有するイベントを特定することを特徴とする請求項７乃至９の何れか１項に記載の情報処理装置。
【請求項１１】
前記特定手段は、前記製品の特性として前記イベントに係る製品が属するカテゴリーを用いてイベントを特定することを特徴とする請求項７乃至１０の何れか１項に記載の情報処理装置。
【請求項１２】
前記特定手段は、前記製品の特性として前記イベントに係る製品を製造した会社を用いてイベントを特定することを特徴とする請求項６乃至１１の何れか１項に記載の情報処理装置。
【請求項１３】
前記特定手段は、前記製品の特性として前記イベントに係る製品を製造した会社が競合会社であるか否かによってイベントを特定することを特徴とする請求項６乃至１２の何れか１項に記載の情報処理装置。
【請求項１４】
前記表示手段で表示されたイベントから未知のイベントのイベント影響量に対応するイベントを設定する設定手段を備えたことを特徴とする請求項５乃至１３の何れか１項に記載の情報処理装置。
【請求項１５】
クライアント端末と情報処理装置とがネットワークを介して接続された情報処理システムであって、
前記クライアント端末は、
イベントの候補を要求する要求手段と、
前記情報処理装置の送信手段によって送信されたイベントを受信する受信手段と、
前記受信手段によって受信したイベントを表示する表示手段と、
を備え、
前記情報処理装置は、
データソースから製品のイベントに関するイベント情報を抽出するイベント情報抽出手段と、
前記製品の販売実績に関する情報を示す販売実績情報を取得する取得手段と、
所定の条件を用いて前記製品の需要量の予測を行う予測手段と、
前記取得手段で取得された販売実績情報と前記予測手段で予測された需要量とに基づいて、前記製品の需要に与える前記イベント情報抽出手段によって抽出されるイベントを特定する特定手段と、
前記要求手段によってイベントの候補が要求されると、前記特定手段によって特定したイベントを前記クライアント端末へ送信する送信手段と、
を備えたことを特徴とする情報処理システム。
【請求項１６】
製品の需要量に影響を与えるイベントを把握するための情報処理装置の制御方法であって、
前記情報処理装置は、
データソースから前記製品のイベントに関するイベント情報を抽出するイベント情報抽出ステップと、
前記製品の販売実績に関する情報を示す販売実績情報を取得する取得ステップと、
所定の条件を用いて前記製品の需要量の予測を行う予測ステップと、
前記取得ステップで取得された販売実績情報と前記予測ステップで予測された需要量とに基づいて、前記製品の需要に与える前記イベント情報抽出ステップによって抽出されるイベントを特定する特定ステップと、
を実行することを特徴とする情報処理装置の制御方法。
【請求項１７】
製品の需要量に影響を与えるイベントを把握するための情報処理装置で読取実行可能なプログラムあって、
前記情報処理装置を、
データソースから前記製品のイベントに関するイベント情報を抽出するイベント情報抽出手段と、
前記製品の販売実績に関する情報を示す販売実績情報を取得する取得手段と、
所定の条件を用いて前記製品の需要量の予測を行う予測手段と、
前記取得手段で取得された販売実績情報と前記予測手段で予測された需要量とに基づいて、前記製品の需要に与える前記イベント情報抽出手段によって抽出されるイベントを特定する特定手段と、
して機能させるためのプログラム。
【請求項１８】
クライアント端末と情報処理装置とがネットワークを介して接続された情報処理システムの制御方法であって、
前記クライアント端末は、
イベントの候補を要求する要求ステップと、
前記情報処理装置の送信ステップによって送信されたイベントを受信する受信ステップと、
前記受信ステップによって受信したイベントを表示する表示ステップと、
を実行し、
前記情報処理装置は、
データソースから製品のイベントに関するイベント情報を抽出するイベント情報抽出ステップと、
前記製品の販売実績に関する情報を示す販売実績情報を取得する取得ステップと、
所定の条件を用いて前記製品の需要量の予測を行う予測ステップと、
前記取得ステップで取得された販売実績情報と前記予測ステップで予測された需要量とに基づいて、前記製品の需要に与える前記イベント情報抽出ステップによって抽出されるイベントを特定する特定ステップと、
前記要求ステップによってイベントの候補が要求されると、前記特定ステップによって特定したイベントを前記クライアント端末へ送信する送信ステップと、
を実行することを特徴とする情報処理システムの制御方法。
【請求項１９】
クライアント端末と情報処理装置とがネットワークを介して接続された情報処理システムにおいて、
前記クライアント端末を、
イベントの候補を要求する要求手段と、
前記情報処理装置の送信手段によって送信されたイベントを受信する受信手段と、
前記受信手段によって受信したイベントを表示する表示手段と、
して機能させ、
前記情報処理装置を、
データソースから製品のイベントに関するイベント情報を抽出するイベント情報抽出手段と、
前記製品の販売実績に関する情報を示す販売実績情報を取得する取得手段と、
所定の条件を用いて前記製品の需要量の予測を行う予測手段と、
前記取得手段で取得された販売実績情報と当該予測手段で予測された需要量とに基づいて、前記製品の需要に与える前記イベント情報抽出手段によって抽出されるイベントを特定する特定手段と、
前記要求手段によってイベントの候補が要求されると、前記特定手段によって特定したイベントを前記クライアント端末へ送信する送信手段と、
して機能させるためのプログラム。